(57)【要約】【課題】オムツを簡単且つ確実に挟持でき、オムツとの接続状態を容易に確認できるコネクタを提供する。【解決手段】コネクタ１０は、吸水性シートの乾燥時に絶縁状態となり吸水時に導通状態となる一対のセンサ電極を有するオムツに接続される。コネクタ１０は、オムツが載置される座部５１、座部５１に露出した一対の電極針１７、１８及び電極針１７、１８間の電位差の変化に基づいて信号を出力するＩＣを有するコネクタ本体３０と、コネクタ本体３０に対して開閉可能に設けられ、閉姿勢のときに座部５１との間にオムツを挟持してセンサ電極及び電極針１７、１８を電気的に接続する挟持蓋７０とを備える。コネクタ本体３０は、上面３４及び側面３５を有する。座部５１は、上面３４に連続して下方に延びる壁面５２と、壁面５２の下端に連続して側面３５まで前方へ延びる載置面５３とを有する。【選択図】図３
0003226303.tif 000002
【実用新案登録請求の範囲】
【請求項１】
吸水性シート及び当該吸水性シートの乾燥時に絶縁状態となり吸水時に導通状態となる一対のセンサ電極を有する水分センサに接続される水分センサ用コネクタであって、
上記水分センサが載置される座部、当該座部に露出した一対の電極針及び当該電極針に接続され、当該電極針間の電位差の変化に基づいて信号を出力する信号発信部を有するコネクタ本体と、
当該コネクタ本体に対して開姿勢及び閉姿勢に姿勢変化可能に設けられ、閉姿勢に変化することにより上記座部と協働して上記水分センサを挟持して上記センサ電極及び電極針を電気的に接続する挟持蓋とを備え、
上記コネクタ本体は、上面及び当該上面に連続する側面を有し、
上記座部は、上記上面を横切って所定方向に沿って延び且つ当該上面に連続して下方に延びる壁面と、当該壁面の下端に連続して当該壁面と直交する向きに沿って上記側面まで延びる載置面とを有する、水分センサ用コネクタ。
【請求項２】
上記挟持蓋の先端部は、上記側面よりも外方に突出している請求項１に記載の水分センサ用コネクタ。
【請求項３】
上記挟持蓋の上面に凸条が形成されている請求項１又は２に記載の水分センサ用コネクタ。
【請求項４】
上記挟持蓋は、上記壁面に沿って配置された回動軸線の周りに回動可能に設けられており、上記閉姿勢のときに上記側面の所定部に係合する係合部が設けられている請求項１から３のいずれかに記載の水分センサ用コネクタ。
【請求項５】
上記所定部に突起が形成されており、
上記係合部は、所定の保持力で上記突起と嵌合する凹部を有する請求項４に記載の水分センサ用コネクタ。
【請求項６】
上記挟持蓋は、上記閉姿勢のときに上記側面と近接対向し、上記水分センサを上記側面との間に挟持する固定板を有する請求項１から５のいずれかに記載の水分センサ用コネクタ。
【請求項７】
上記信号発信部は、上記挟持蓋が上記座部と協働して上記水分センサを挟持した状態で上記電極針間が電気的に接続されていない場合にエラーを表示するエラー表示部を備えている請求項１から６のいずれかに記載の水分センサ用コネクタ。
【請求項８】
吸水性シート及び当該吸水性シートの乾燥時に絶縁状態となり吸水時に導通状態となる一対のセンサ電極を有する水分センサを有するオムツと、
上記水分センサに接続される上記請求項１から７のいずれかに記載の水分センサ用コネクタと、
上記信号発信部が発信した信号を受信し、警告音を発する警報器とを備えた水分報知装置。
【考案の詳細な説明】
【技術分野】
【０００１】
この考案は、水分センサ（典型的には、小児用オムツに搭載される尿センサ）に接続されるコネクタの構造に関するものである。
【背景技術】
【０００２】
小児の夜尿症の治療は、排尿を直ちに本人に知らせることである。本人は、夜中に起こされることになるから、自然と寝ている最中の排尿を避けるようになる。従来、このような排尿を本人や介護者に知らせる装置が提供されている（例えば特許文献１参照）。
【０００３】
図１３は、従来の夜尿症の治療に使用される装置の斜視図である。図１４は、この装置の平面図である。
【０００４】
この装置は、患者が使用するオムツ１と、コネクタ２と、報知装置３とを有する。コネクタ２及び報知装置３は、無線通信が可能である。オムツ１は、排尿を検知する水分センサ４を内蔵している。水分センサ４は細長のシート状に形成されており、これにコネクタ２が取り付けられている。水分センサ４は、オムツ１の中央部に配置されており、尿を検知するための一対の電極５、６を備えている。これらは常時電気的に絶縁されているが、排尿により導通される。コネクタ２は、一対の電極５、６間に架け渡すように取り付けられており、両者が導通されることにより、尿検知信号を出力する。報知装置３は、尿検知信号を受信することにより、警告音を発する。
【先行技術文献】
【特許文献】
【０００５】
【特許文献１】特開２００２−５５０７４号公報
【考案の概要】
【考案が解決しようとする課題】
【０００６】
コネクタ２は、接続電極を有する本体及びこの本体に対して開閉する挟持蓋を備えている。水分センサ４の端部が上記本体及び挟持蓋の間に挟み込まれることにより、上記接続電極が水分センサ４の電極５、６と接する。この状態で、コネクタ２は、一対の電極５、６間の導通状態を検知することができる。
【０００７】
ところで、コネクタ２はオムツ１に装着されるものであるから、一般に小型軽量化の要請がある。
【０００８】
その一方で、コネクタ２が小型化された場合は、水分センサ４を挟み込む作業が困難になると共に、オムツ１がコネクタ２から外れやすくなる。さらに、本体及び挟持蓋が確実に水分センサ４の電極５、６を挟持したかどうかの確認が難しくなる。
【０００９】
本考案はかかる背景のもとになされたものであって、その目的は、水分センサを簡単且つ確実に挟持することができ、しかも水分センサとの接続状態を容易に確認することができる小型の水分センサ用コネクタを提供することである。
【課題を解決するための手段】
【００１０】
(1) 本考案に係る水分センサ用コネクタは、吸水性シート及び当該吸水性シートの乾燥時に絶縁状態となり吸水時に導通状態となる一対のセンサ電極を有する水分センサに接続される。この水分センサ用コネクタは、上記水分センサが載置される座部、当該座部に露出した一対の電極針及び当該電極針に接続され、当該電極針間の電位差の変化に基づいて信号を出力する信号発信部を有するコネクタ本体と、当該コネクタ本体に対して開姿勢及び閉姿勢に姿勢変化可能に設けられ、閉姿勢に変化することにより上記座部と協働して上記水分センサを挟持して上記センサ電極及び電極針を電気的に接続する挟持蓋とを備える。上記コネクタ本体は、上面及び当該上面に連続する側面を有し、上記座部は、上記上面を横切って所定方向に沿って延び且つ当該上面に連続して下方に延びる壁面と、当該壁面の下端に連続して当該壁面と直交する向きに沿って上記側面まで延びる載置面とを有する。
【００１１】
この構成によれば、上記壁面及び載置面により、コネクタ本体の上面に段部が形成される。この段部は、上記載置面が上記壁面と直交する向きに沿って上記側面まで延びることから、上記上面に溝のような空間を形成するものではなく、上記壁面から上記向きに沿って上記コネクタ本体の一部が階段のように切り取られた形状を呈し、この切り取られた空間の境界が上記壁面を構成している。したがって、上記水分センサは、コネクタ本体の側面から上記壁面に向かってスライドされつつ上記載置面上に簡単に配置される。仮に、上記段部が上記溝のような空間を形成する場合は、上記水分センサを当該空間内に配置する作業が煩わしいものになる。この状態で挟持蓋が閉じられると、当該挟持蓋と上記載置面との間で上記水分センサが挟み込まれ、上記水分センサ側に設けられたセンサ電極と、コネクタ本体側に設けられた電極針とが電気的に接続される。
【００１２】
(2) 上記挟持蓋の先端部は、上記側面よりも外方に突出しているのが好ましい。
【００１３】
この構成では、挟持蓋を開閉する動作がより容易になる。
【００１４】
(3) 上記挟持蓋の上面に凸条が形成されているのが好ましい。
【００１５】
この構成では、上記凸条が滑り止め効果を発揮する。したがって、挟持蓋を開閉する動作がなお一層簡単になる。
【００１６】
(4) 上記挟持蓋は、上記壁面に沿って配置された回動軸線の周りに回動可能に設けられており、上記閉姿勢のときに上記側面の所定部に係合する係合部が設けられていてもよい。
【００１７】
この構成では、上記挟持蓋が上記回動軸線の周りに回動することにより姿勢変化するので、上記載置面に載置された水分センサを挟み込む作業が簡単である。つまり、作業者は、上記載置面に水分センサを載置すれば、そのまま当該水分センサを挟持蓋で押さえ付けるように当該挟持蓋を回動させればよい。しかも、挟持蓋が閉じられると、上記係合部がコネクタ本体側の所定部に係合するから、当該水分センサの挟持状態が確実に保持される。
【００１８】
(5) 特に、上記所定部に突起が形成されており、上記係合部は、所定の保持力で上記突起と嵌合する凹部を有するのが好ましい。
【００１９】
この構成では、簡単な構造により挟持蓋が確実に保持される。しかも、上記挟持蓋側に上記突起が嵌め込まれる凹部が形成されているので、より強固な嵌合状態が実現されるという利点がある。
【００２０】
(6) 上記挟持蓋は、上記閉姿勢のときに上記側面と近接対向し、上記水分センサを上記側面との間に挟持する固定板を備えていてもよい。
【００２１】
この構成では、挟持蓋が閉じられると、コネクタ本体と上記固定板との間に上記水分センサが挟み込まれる。したがって、水分センサがコネクタ本体と固定板により確実に固定される。
【００２２】
(7) 上記信号発信部は、上記挟持蓋が上記座部と協働して上記水分センサを挟持した状態で上記電極針間が電気的に接続されていない場合にエラーを表示するエラー表示部を備えているのが好ましい。
【００２３】
この構成では、当該水分センサ用コネクタが水分センサに確実に接続されていることを確認することができる。
【００２４】
(8) 吸水性シート及び当該吸水性シートの乾燥時に絶縁状態となり吸水時に導通状態となる一対のセンサ電極を有する水分センサを有するオムツと、上記水分センサに接続される上記水分センサ用コネクタと、上記信号発信部が発信した信号を受信し、警告音を発する警報器とを備えた水分報知装置が構成され得る。
【００２５】
この水分報知装置は、例えば小児の夜尿症の治療に使用される。
【００２６】
コネクタ本体の壁面及び載置面により、コネクタ本体の上面に段部が形成される。この段部は、上記載置面が上記壁面と直交する向きに沿ってコネクタ本体の側面まで延びることから、上記上面に溝のような空間を形成するものではなく、上記壁面から上記向きに沿って上記コネクタ本体の一部が階段のように切り取られた形状を呈し、この切り取られた空間の境界が上記壁面を構成している。したがって、上記水分センサは、コネクタ本体の側面から上記壁面に向かってスライドされつつ上記載置面上に簡単に配置される。仮に、上記段部が上記溝のような空間を形成する場合は、上記水分センサを当該空間内に配置する作業が煩わしいものになる。この状態で挟持蓋が閉じられると、当該挟持蓋と上記載置面との間で上記水分センサが挟み込まれ、上記水分センサ側に設けられたセンサ電極と、コネクタ本体側に設けられた電極針とが電気的に接続される。
【００２７】
吸水性シートが水分を吸収し、センサ電極間に水分が存在すれば、上記電極針間の電位差が変化し、これを信号発信部が検知して上記信号を出力する。この信号は、水分報知装置により受信され、これにより、警報器から警告音が発せられる。
【考案の効果】
【００２８】
この考案によれば、水分センサの着脱が容易になり、水分センサが簡単且つ確実に挟持される。これにより、水分センサの接続状態が容易に確認され得る。
【図面の簡単な説明】
【００２９】
【図１】図１は、本考案の一実施形態に係る水分センサ用コネクタ１０の使用状態を示す外観斜視図である。
【図２】図２は、水分報知装置の一例としての夜尿症治療システム１１のブロック図である。
【図３】図３は、水分センサ用コネクタ１０の斜視図であり、（Ａ）は挟持蓋７０が閉姿勢の状態を示し、（Ｂ）は挟持蓋７０が開姿勢の状態を示す。
【図４】図４は、水分センサ用コネクタ１０の平面図である。
【図５】図５は、水分センサ用コネクタ１０の正面図である。
【図６】図６は、水分センサ用コネクタ１０の右側面図である。
【図７】図７は、図４のＶＩＩ−ＶＩＩ断面を示す断面図である。
【図８】図８は、図４のＶＩＩＩ−ＶＩＩＩ断面を示す断面図である。
【図９】図９は、図８の円部分の拡大図である。
【図１０】図１０は、図３（Ｂ）の円部分の拡大図である。
【図１１】図１１は、挟持蓋７０の係合部７６の斜視図である。
【図１２】図１２は、図５の円部分の拡大図である。
【図１３】図１３は、従来の夜尿症の治療に使用される装置の斜視図である。
【図１４】図１４は、従来の夜尿症の治療に使用される装置の平面図である。
【考案を実施するための形態】
【００３０】
以下、本考案の好ましい実施形態が、適宜図面が参照されつつ説明される。なお、本実施の形態は、本考案に係る水分センサ用コネクタの一態様にすぎず、本考案の要旨を変更しない範囲で実施態様が変更されてもよいことは言うまでもない。
【００３１】
＜システムの概略構成＞
【００３２】
図１は、本考案の一実施形態に係る水分センサ用コネクタ（以下、「コネクタ」と称される。）１０の使用状態を示す外観斜視図である。図２は、水分報知装置の一例としての夜尿症治療システム１１のブロック図である。
【００３３】
このコネクタ１０は、例えば夜尿症治療システム１１に適用される。夜尿症の患者（典型的には小児）はオムツ１２を着用し、このオムツ１２にコネクタ１０が接続される。この夜尿症治療システム１１は、上記オムツ１２及びコネクタ１０並びにコネクタ１０と無線通信が可能な警報器１３とを備える。夜尿症の患者が就寝中に排尿してしまった場合、コネクタ１０が水分を検知して検知信号２５（図２参照）を出力する。警報器１３は、この検知信号２５を受信し、警告音を発する。
【００３４】
オムツ１２に取り付けられるコネクタ１０は、電池１４から電源回路１５を介して電力が供給されるＩＣ（integrated circuit）１６と、一対の電極針１７、１８と、アンテナ回路２１と、エラー表示部２２とを有する。ここで、オムツ１２は、既知の構成であり、吸水性シート２９と、吸水性シート２９に導電性接着剤を介して配置された一対のセンサ電極１９、２０とを有する。吸水性シート２９に水分が存在しない状態では、センサ電極１９、２０間は絶縁状態となる。この絶縁状態とは、完全に電気的に絶縁されている状態ではなく、センサ電極１９、２０間に所定の電気抵抗が生じている状態をいう。吸水性シート２９が水分を吸収したとき（患者の排尿時）は、センサ電極１９、２０間が導通状態となる。つまり、オムツ１２は、水分センサとして機能する。
【００３５】
電極針１７、１８は、後述するようにオムツ１２のセンサ電極１９、２０と接続される。また、ＩＣ１６は、電極針１７、１８と接続されている。これにより、両者間（センサ電極１９、２０間）の電位差、すなわち電極針１７、１８間の電位差がＩＣ１６に入力されている。ＩＣ１６は、この電位差が変化した場合、つまり排尿により電極針１７、１８間の電気抵抗値が低下した場合に、アンテナ回路２１を駆動して上記検知信号２５を出力する。つまり、ＩＣ１６は、信号発信部の一例である。上記エラー表示部２２は、赤色ＬＥＤ２３及び緑色ＬＥＤ２４を有し、上記ＩＣ１６と接続されている。ＩＣ１６は、電極針１７、１８がセンサ電極１９、２０と電気的に接続された場合に緑色ＬＥＤ２４を一定時間点灯させた後に消灯する。一方、ＩＣ１６は、電極針１７、１８がセンサ電極１９、２０と電気的に接続されなかった場合、例えば、電極針１７、１８の少なくとも一方がセンサ電極１９、２０と電気的に接続されていない場合や、電極針１７がセンサ電極１９に接続されるべきところを誤ってセンサ電極２０に接続された場合に赤色ＬＥＤ２３及び緑色ＬＥＤ２４を交互に点滅させることによって、エラーを表示させる。
【００３６】
警報器１３は、図示されていない電源から電力が供給されるＩＣ２６と、これに接続されたアンテナ回路２７及びスピーカ２８とを有する。アンテナ回路２７が上記検知信号２５を受信すると、ＩＣ２６がこれを検知し、スピーカ２８を作動させる。スピーカ２８は、就寝中の患者が覚醒するに十分な大きさの警告音を発する。
【００３７】
＜コネクタ＞
【００３８】
図３は、コネクタ１０の斜視図である。図４〜図６は、それぞれ、コネクタ１０の平面図、正面図、右側面図である。図７及び図８は、それぞれ、図４のＶＩＩ−ＶＩＩ断面を示す断面図、図４のＶＩＩＩ−ＶＩＩＩ断面を示す断面図である。図９は、図８の円部分の拡大図である。図１０は、図３の円部分の拡大図である。図１１は、挟持蓋７０の係合部７６の斜視図である。図１２は、図５の円部分の拡大図である。
【００３９】
図３が示すように、コネクタ１０は、コネクタ本体３０と、コネクタ本体３０に回動可能に取り付けられた挟持蓋７０とを備えている。
【００４０】
以下の説明において、コネクタ１０の厚み方向を上下方向１０１とする。また、上下方向１０１と直交する方向であって挟持蓋７０の長手方向を幅方向１０２とする。また、上下方向１０１及び幅方向１０２と直交する方向を前後方向１０３とする。上下方向１０１において、挟持蓋７０が設けられている側を上とする。前後方向１０３において、挟持蓋７０が設けられている側を前とする。幅方向１０２において、コネクタ１０を前方から見て右及び左が定義される。
【００４１】
コネクタ本体３０は、内部空間３１（図７及び図８参照）を有する筐体と、内部空間３１に配置された基板３９（図７及び図８参照）と、電池１４（図２参照）と、電池蓋４１（図３参照）とを備えた部材である。
【００４２】
図７及び図８が示すように、コネクタ本体３０の筐体は、下方が開放された箱部材３２と、上方から箱部材３２が被せられる底板３３とを備えている。
【００４３】
箱部材３２は、幅方向１０２及び前後方向１０３に拡がる上面３４と、上面３４に連続しており且つ上面３４の外縁から下方へ延びた側面３５とを有する。以下、コネクタ本体３０の箱部材３２の上面３４、側面３５は、それぞれ、単に上面３４、側面３５と記されるか、またはコネクタ本体３０の上面３４、コネクタ本体３０の側面３５と記される。
【００４４】
図８が示すように、突起３６が、上面３４の裏面から下方へ向けて突出している。突起３６は、当該裏面の後中央部、右前部、左前部の３箇所に設けられている。図８では、３つの突起３６のうち、後中央部及び左前部に設けられた２つの突起３６が示されている。突起３６は、その下端から上方へ向けて形成された穴３７を有している。
【００４５】
底板３３は、幅方向１０２及び前後方向１０３に拡がっている。底板３３は、下方から箱部材３２に嵌められる。底板３３は、３つの貫通孔３８を有している。底板３３が箱部材３２に嵌められた状態において、各貫通孔３８は各穴３７と上下方向１０１に連続する。図８では、３つの貫通孔３８のうち、上面３４の裏面の後中央部及び左前部に設けられた貫通孔３８が示されている。ネジ（不図示）が各貫通孔３８を貫通して各穴３７に螺合される。これにより、底板３３が箱部材３２に固定されている。
【００４６】
図７及び図８に示されるように、基板３９が、内部空間３１に配置されている。ＩＣ１６及び電源回路１５（図２参照）が、基板３９に実装されている。一対の電極針１７、１８（図２参照）の一端は、基板３９に取り付けられている。基板３９には、配線パターン（不図示）が形成されている。ＩＣ１６と電源回路１５及び一対の電極針１７、１８とは、それぞれ、配線パターンを介して電気的に接続されている。一対の電極針１７、１８の他端は、後述するように、座部５１に露出している（図３（Ｂ）及び図１０参照）。
【００４７】
電池１４（図２参照）が、内部空間３１に配置可能である。コネクタ本体３０の上面３４には、円形の開口４０が設けられており、電池１４は、開口４０を通じて内部空間３１における基板３９の上方に配置される。内部空間３１に配置された電池１４は、基板３９の上面に露出された電極（不図示）と電気的に接続される。電極は、配線パターンを介して電源回路１５と電気的に接続されている。これにより、電池１４から電源回路１５を介してＩＣ１６に電力が供給される。
【００４８】
コネクタ本体３０は、電池蓋４１を備える。図４が示すように、電池蓋４１は、平面視で円形である。図７及び図８が示すように、電池蓋４１は、開口４０を塞ぐようにしてコネクタ本体３０の上面３４に嵌合可能である。電池蓋４１が上面３４に嵌合されることによって、内部空間３１が外部から閉塞される。電池蓋４１が上面３４から取り外されることによって、内部空間３１が外部に露出され、電池１４が内部空間３１に対して出し入れ可能となる。
【００４９】
なお、図７が示すように、電池蓋４１と箱部材３２の嵌合は、電池蓋４１の下面の周方向の一部に設けられた係合突起４２と、箱部材３２の開口４０を区画する周面の一部に設けられた被係合突起４３とが係合することによって行われる。電池蓋４１は、周方向に回転されつつ、係合突起４２が被係合突起４３と係合する位置、及び当該係合が解除される位置へ移動される。当該移動は、電池蓋４１の上面に形成された溝４４（図３（Ａ）及び図４参照）に硬貨等が挿入されることによって実行される。
【００５０】
図３及び図４が示すように、電池蓋４１の上面に三角形のマーク４５が形成されており、コネクタ本体３０の上面３４に三角形のマーク４６が形成されている。マーク４５、４６は、係合突起４２と被係合突起４３（図７参照）とが係合される周方向の位置を外部から認識可能とするためのものである。マーク４５がマーク４６と向かい合う位置となるように、電池蓋４１が回転されることによって、図７が示すように、電池蓋４１の周方向の位置が、係合突起４２と被係合突起４３とが係合される位置となる。
【００５１】
図３及び図６が示すように、コネクタ本体３０の側面３５のうち、右側面３５１及び左側面３５２に、凹部４７が形成されている。突起４８が、凹部４７の底を区画する面から幅方向１０２に突出している。
【００５２】
図３（Ｂ）及び図５が示すように、コネクタ本体３０の側面３５のうち、前側面３５３に、凹部４９が形成されている。凹部４９は、所定部の一例である。突起５０が、凹部４９の底を区画する面４９１から前方に突出している。図８及び図９が示すように、突起５０の上面５０１は、下方へ向かうにしたがって前方へ向かって延びる傾斜面である。
【００５３】
図３（Ｂ）が示すように、コネクタ本体３０は、座部５１を有する。座部５１は、上述したオムツ１２が載置される部分である。座部５１は、壁面５２と、載置面５３とを有する。
【００５４】
壁面５２は、コネクタ本体３０の上面３４の前端に連続しており、上面３４の前端から下方へ延びている。壁面５２は、上下方向１０１及び幅方向１０２に拡がる面である。つまり、壁面５２は、上面３４を横切って幅方向１０２に沿って延びている。幅方向１０２は、所定方向の一例である。
【００５５】
載置面５３は、壁面５２の下端に連続しており、壁面５２の下端から前方へ延びている。載置面５３は、幅方向１０２及び前後方向１０３に拡がる面である。載置面５３の前端は、コネクタ本体３０の側面３５のうち前側面３５３の上端と連続している。つまり、前側面３５３は、載置面５３の前端から下方へ延びている。以上より、載置面５３は、壁面５２の下端に連続して、壁面５２と直交する向きである前後方向１０３に沿って側面３５（前側面３５３）まで延びる面である。また、載置面５３の右端は、コネクタ本体３０の側面３５のうち右側面３５１の上端と連続しており、載置面５３の左端は、コネクタ本体３０の側面３５のうち左側面３５２の上端と連続している。
【００５６】
載置面５３は、一対の貫通孔５４を有する。貫通孔５４は、コネクタ本体３０の内部空間３１（図７及び図８参照）と外部とを連通させている。一対の貫通孔５４の各々は、２個で構成されている。つまり、載置面５３は、合計４個の貫通孔５４を有する。なお、貫通孔５４の数は、前述した数に限らない。例えば、一対の貫通孔５４の各々は、１個で構成されていてもよい。この場合、載置面５３は、合計２個の貫通孔５４を有する。
【００５７】
図３（Ｂ）及び図１０が示すように、一対の電極針１７、１８が、内部空間３１から貫通孔５４を貫通している。これにより、一対の電極針１７、１８の他端が、載置面５３よりも上方へ突出している。つまり、一対の電極針１７、１８は、座部５１に露出している。一対の電極針１７、１８の他端は、先端が尖った複数の凸部で構成されている。
【００５８】
なお、本実施形態では、電極針１７、１８は２本ずつ設けられており、２本の電極針１７が一対の貫通孔５４の一方である２個の貫通孔５４を貫通しており、２本の電極針１８が一対の貫通孔５４の他方である２個の貫通孔５４を貫通している。
【００５９】
図３が示す挟持蓋７０は、回動することによってコネクタ本体３０の座部５１を外部に露出または外部に対して閉塞するものである。
【００６０】
挟持蓋７０は、幅方向１０２に延びた板状の本体７１と、本体７１の幅方向１０２の両端部から同じ向きに突出した一対の凸部７２とを備えている。
【００６１】
図３及び図６が示すように、一対の凸部７２は、貫通孔７３を有している。貫通孔７３は、凸部７２を幅方向１０２に貫通している。コネクタ本体３０の右側面３５１及び左側面３５２から幅方向１０２に突出した突起４８が、貫通孔７３に挿通されている。これにより、挟持蓋７０は、コネクタ本体３０によって、幅方向１０２に延びた回動軸線６９（図３（Ｂ）参照）、換言すると幅方向１０２に延びる壁面５２に沿って配置された回動軸線６９（図３（Ｂ）参照）の周りに回動可能に支持されている。
【００６２】
挟持蓋７０は、コネクタ本体３０に対して、図３（Ａ）が示す閉姿勢と図３（Ｂ）が示す開姿勢とに姿勢変化可能である。図３（Ａ）が示すように、閉姿勢の挟持蓋７０は、矢印１０４の向きに回動することによって開姿勢（図３（Ｂ）参照）に回動する。図３（Ｂ）が示すように、開姿勢の挟持蓋７０は、矢印１０４と逆向きの矢印１０５の向きに回動することによって閉姿勢（図３（Ａ）参照）に回動する。
【００６３】
図６が示すように、挟持蓋７０が閉姿勢のとき、本体７１が上方からコネクタ本体３０の座部５１の載置面５３に近接する。このとき、本体７１の下面７１２が載置面５３と上下方向１０１に対向する。これにより、載置面５３が外部に対して閉塞される。
【００６４】
図３（Ｂ）が示すように、挟持蓋７０が開姿勢のとき、本体７１が、載置面５３から離間される。これにより、載置面５３が外部に対して露出される。
【００６５】
図３（Ａ）が示すように、挟持蓋７０は、本体７１の前端（詳述すると、挟持蓋７０が閉姿勢のときの本体７１の前端）から前方へ突出した、つまり凸部７２とは逆向きに突出した凸部７４を有している。凸部７４は、挟持蓋７０の先端部を構成している。凸部７４は、本体７１の幅方向１０２の中央部から突出している。図６が示すように、挟持蓋７０が閉姿勢のとき、凸部７２は、コネクタ本体３０の側面３５（前側面３５３）より前方に、つまり前側面３５３よりも外方に突出している。
【００６６】
図３（Ａ）及び図６が示すように、挟持蓋７０は、本体７１の上面７１１（詳述すると、挟持蓋７０が閉姿勢のときに上方を向く面）に、３本の凸条７５を有する。３本の凸条７５は、前後方向１０３に間隔を空けて形成されている。各凸条７５は、幅方向１０２に延びている。なお、凸条７５は３本に限らない。
【００６７】
図３（Ｂ）及び図９が示すように、挟持蓋７０は、本体７１の下面７１２（詳述すると、挟持蓋７０が閉姿勢のときに下方を向く面であって上面７１１の裏面）に、係合部７６を有する。係合部７６は、下面７１２から突出している。図９及び図１１が示すように、係合部７６は、その内面７６１に凹部７７を有する。内面７６１は、挟持蓋７０が閉姿勢のときに後方を向く面である。
【００６８】
図９が示すように、挟持蓋７０が閉姿勢のとき、コネクタ本体３０の凹部４９に設けられた突起５０が係合部７６の凹部７７に入り込んでいる。これにより、係合部７６は凹部４９に係合し、係合部７６の凹部７７は所定の保持力で突起５０と嵌合する。挟持蓋７０が閉姿勢から開姿勢へ向けて上方へ回動するとき、係合部７６の下端部７６２が下方から突起５０に当接する。これにより、挟持蓋７０の上方への回動が妨げられる。この状態において、挟持蓋７０が更に上方へ回動されると、下端部７６２が突起５０を押す押圧力が作用する。この押圧力が上述した保持力を超えると、下端部７６２が前方へ撓む。これにより、下端部７６２が、突起５０を乗り越えて、突起５０より上方へ抜け出る。その結果、挟持蓋７０が閉姿勢から開姿勢へ回動される。
【００６９】
挟持蓋７０が開姿勢から閉姿勢へ向けて下方へ回動されるとき、下端部７６２が上方から突起５０の上面５０１に当接する。この状態において、挟持蓋７０が更に下方へ回動されると、下端部７６２が前方へ撓みつつ上面５０１にガイドされる。これにより、下端部７６２が、突起５０を乗り越えて、突起５０より下方へ抜け出る。その結果、突起５０が凹部７７に入り込み、挟持蓋７０が閉姿勢となる。
【００７０】
図４及び図５が示すように、挟持蓋７０は、本体７１の幅方向１０２の両端部に固定板７８を有する。固定板７８は、本体７１の右端よりも右方と、本体７１の左端よりも左方とに設けられている。図５が示すように、各固定板７８は、挟持蓋７０が閉姿勢のときに本体７１の下面７１２よりも下方に位置している。つまり、各固定板７８は、本体７１の下面７１２よりも下方へ突出している。
【００７１】
図５及び図１２が示すように、挟持蓋７０が閉姿勢のとき、右側の固定板７８が右方からコネクタ本体３０の右側面３５１に近接し、左側の固定板７８が左方からコネクタ本体３０の左側面３５２に近接する。このとき、右側の固定板７８及び右側面３５１と、左側の固定板７８及び左側面３５２とが、それぞれ、幅方向１０２に対向する。つまり、固定板７８は、挟持蓋７０が閉姿勢のときにコネクタ本体３０の側面３５と近接対向する。
【００７２】
以下、コネクタ１０のオムツ１２（図１参照）への取り付けが説明される。コネクタ１０がオムツ１２に取り付けられるに際して、挟持蓋７０は、図３（Ｂ）が示すように、開姿勢とされる。
【００７３】
次に、オムツ１２の長手方向の端部が、コネクタ本体３０の座部５１の載置面５３に載置される。このとき、当該端部に位置するオムツ１２のセンサ電極１９が載置面５３から突出した電極針１７と対向し、当該端部に位置するオムツ１２のセンサ電極２０が載置面５３から突出した電極針１８と対向するように、吸水性シート２９の載置面５３に対する幅方向１０２の位置が調整される。
【００７４】
次に、挟持蓋７０が開姿勢から閉姿勢に回動される。これにより、挟持蓋７０の本体７１の下面７１２とコネクタ本体３０の載置面５３との間に、オムツ１２の長手方向の端部が挟持される。つまり、挟持蓋７０が座部５１と協働してオムツ１２を挟持する。ここで、図１が示すように、オムツ１２の短手方向の長さが、コネクタ１０の幅方向１０２の長さより長い。そのため、挟持蓋７０の固定板７８と、コネクタ本体３０の側面３５との間にも、オムツ１２が挟持される。
【００７５】
挟持蓋７０と座部５１との間に、センサ電極１９、２０が挟持されることによって、センサ電極１９、２０の位置が固定される。このとき、センサ電極１９は電極針１７と当接し、センサ電極２０は電極針１８と当接している。つまり、センサ電極１９は電極針１７と電気的に接続され、センサ電極２０は電極針１８と電気的に接続されている。センサ電極１９、２０と電極針１７、１８とが前記のように電気的に正しく接続された場合、上述したように、ＩＣ１６（図２参照）は、緑色ＬＥＤ２４を一定時間点灯させた後に消灯する。この場合、夜尿症治療システム１１は正常に機能する。つまり、オムツ１２を装着した夜尿症の患者が就寝中に排尿してしまった場合、コネクタ１０が水分を検知して検知信号２５（図２参照）を出力し、警報器１３（図２参照）は、この検知信号２５を受信し、警告音を発する。
【００７６】
ここで、上述したように、載置面５３から突出した電極針１７、１８は、先端が尖った複数の凸部で構成されている（図１０参照）。そのため、電極針１７、１８は、当接したセンサ電極１９、２０に対して位置ずれを起こしにくい。
【００７７】
なお、挟持蓋７０の開姿勢から閉姿勢への姿勢変化の過程で挟持蓋７０の位置がずれることなどによって、閉姿勢の挟持蓋７０と座部５１との間にオムツ１２が挟持された状態で、センサ電極１９、２０と電極針１７、１８とが電気的に正しく接続されていない場合、上述したように、赤色ＬＥＤ２３及び緑色ＬＥＤ２４が交互に点滅されることによって、エラーが表示される。
【００７８】
＜実施形態の作用効果＞
【００７９】
本実施形態では、壁面５２及び載置面５３により、コネクタ本体３０の上面３４に段部が形成される。この段部は、載置面５３が側面３５まで前方へ延びることから、上面３４に溝のような空間を形成するものではなく、壁面５２から前後方向１０３に沿ってコネクタ本体３０の一部が階段のように切り取られた形状を呈し、この切り取られた空間の境界が壁面５２を構成している。したがって、オムツ１２は、コネクタ本体３０の側面３５から壁面５２に向かってスライドされつつ載置面５３上に簡単に配置される。仮に、上記段部が上記溝のような空間を形成する場合は、オムツ１２を当該空間内に配置する作業が煩わしいものになる。この状態で挟持蓋が閉じられると、当該挟持蓋と載置面５３との間でオムツ１２が挟み込まれ、オムツ１２に設けられたセンサ電極１９、２０と、コネクタ本体３０に設けられた電極針１７、１８とが電気的に接続される。
【００８０】
本実施形態では、凸部７４が側面３５よりも前方に突出しているため、挟持蓋７０を開閉する動作がより容易になる。
【００８１】
本実施形態では、凸条７５が滑り止め効果を発揮する。したがって、挟持蓋７０を開閉する動作がなお一層簡単になる。
【００８２】
本実施形態では、挟持蓋７０が回動軸線６９の周りに回動することにより姿勢変化するので、載置面５３に載置されたオムツ１２を挟み込む作業が簡単である。つまり、作業者は、載置面５３にオムツ１２を載置すれば、そのままオムツ１２を挟持蓋７０で押さえ付けるように挟持蓋７０を回動させればよい。しかも、挟持蓋７０が閉じられると、係合部７６がコネクタ本体３０の凹部４９に係合するから、オムツ１２の挟持状態が確実に保持される。
【００８３】
本実施形態では、突起５０と凹部７７が嵌合する簡単な構造により挟持蓋７０が確実に保持される。しかも、挟持蓋７０に突起５０が嵌め込まれる凹部７７が形成されているので、より強固な嵌合状態が実現されるという利点がある。
【００８４】
本実施形態では、挟持蓋７０が閉じられると、コネクタ本体３０と固定板７８との間にオムツ１２が挟み込まれる。したがって、オムツ１２がコネクタ本体３０と固定板７８により確実に固定される。
【００８５】
本実施形態では、エラー表示部２２によって、コネクタ１０がオムツ１２に確実に接続されていることを確認することができる。
【００８６】
この夜尿症治療システム１１は、例えば小児の夜尿症の治療に使用される。
【００８７】
吸水性シート２９が水分を吸収し、センサ電極１９、２０間に水分が存在すれば、電極針１７、１８間の電位差が変化し、これをＩＣ１６が検知して信号を出力する。この信号は、夜尿症治療システム１１により受信され、これにより、警報器１３から警告音が発せられる。
【００８８】
＜変形例＞
上記実施形態では、挟持蓋７０は、回動することによって、閉姿勢と開姿勢とに姿勢変化した。しかし、挟持蓋７０は回動以外、例えば、前後方向１０３へのスライドや、コネクタ本体３０に対する着脱によって、閉姿勢と開姿勢とに姿勢変化してもよい。
【００８９】
挟持蓋７０は、凸部７４や固定板７８を有していなくてもよい。
【００９０】
凸条７５の形状は、図３（Ａ）及び図６などに示される形状に限らない。例えば、凸条７５は、複数の半球状の突起で構成されていてもよい。また、挟持蓋７０は、凸条７５を有していなくてもよい。
【００９１】
挟持蓋７０が閉姿勢に保持される構成は、上述したような係合部７６によるものに限らない。例えば、閉姿勢の挟持蓋７０とコネクタ本体３０とを外方からまとめて挟み込むことによって、挟持蓋７０を閉姿勢に維持する挟持部材が用いられてもよい。
【００９２】
上記実施形態では、コネクタ１０が接続される水分センサは、オムツ１２であった。しかし、水分センサは、オムツ１２に限らず、吸水性シートと一対のセンサ電極とを有するものであればよい。例えば、水分センサは、人工透析治療等において患者の腕に装着されるものであって、当該腕に装着される吸水性シートと、吸水性シートに配置された一対のセンサ電極とを有するものであってもよい。
【符号の説明】
【００９３】
１・・・オムツ
２・・・コネクタ
３・・・報知装置
４・・・水分センサ
５・・・電極
６・・・電極
１０・・・コネクタ（水分センサ用コネクタ）
１１・・・夜尿症治療システム（水分報知装置）
１２・・・オムツ（水分センサ）
１３・・・警報器
１４・・・電池
１５・・・電源回路
１６・・・ＩＣ（信号発信部）
１７・・・電極針
１８・・・電極針
１９・・・センサ電極
２０・・・センサ電極
２１・・・アンテナ回路
２２・・・エラー表示部
２５・・・検知信号
２７・・・アンテナ回路
２８・・・スピーカ
２９・・・吸水性シート
３０・・・コネクタ本体
３１・・・内部空間
３２・・・箱部材
３３・・・底板
３４・・・上面
３５・・・側面
３６・・・突起
３７・・・穴
３８・・・貫通孔
３９・・・基板
４０・・・開口
４１・・・電池蓋
４２・・・係合突起
４３・・・被係合突起
４４・・・溝
４５・・・マーク
４６・・・マーク
４７・・・凹部
４８・・・突起
４９・・・凹部（所定部）
５０・・・突起
５１・・・座部
５２・・・壁面
５３・・・載置面
５４・・・貫通孔
６９・・・回動軸線
７０・・・挟持蓋
７１・・・本体
７２・・・凸部
７３・・・貫通孔
７４・・・凸部（先端部）
７５・・・凸条
７６・・・係合部
７７・・・凹部
７８・・・固定板
１０１・・・上下方向
１０２・・・幅方向（所定方向）
１０３・・・前後方向
１０４・・・矢印
１０５・・・矢印
３５１・・・右側面
３５２・・・左側面
３５３・・・前側面
４９１・・・面
５０１・・・上面
７１１・・・上面
７１２・・・下面
７６１・・・内面
７６２・・・下端部
【図１】
0003226303.tif 000003
【図２】
0003226303.tif 000004
【図３】
0003226303.tif 000005
【図４】
0003226303.tif 000006
【図５】
0003226303.tif 000007
【図６】
0003226303.tif 000008
【図７】
0003226303.tif 000009
【図８】
0003226303.tif 000010
【図９】
0003226303.tif 000011
【図１０】
0003226303.tif 000012
【図１１】
0003226303.tif 000013
【図１２】
0003226303.tif 000014
【図１３】
0003226303.tif 000015
【図１４】
0003226303.tif 000016